(57)【要約】【課題】収納箱内のロール体からシート状物を円滑に引き出すことができる、ロール体保持機構を、提供すること。【解決手段】ロール体３の両端部に取り付けられた状態で、収納箱内に収納される、一対の保持具４を、備えており、保持具４は、円筒体３２の端部に挿し込まれる横部材４１と、横部材４１の非挿込側の端部に設けられた縦部材４２と、からなっており、横部材４１は、縦部材４２の中央に設けられており、横部材４１は、円筒体３２内に摺接するよう嵌挿される形態を、有しており、縦部材４１は、収納箱の縦断面空間に嵌合する形態を、有している。【選択図】図４
2009001340.tif 000002
【特許請求の範囲】
【請求項１】
円筒体にシート状物が巻き付けられてなるロール体を、開閉蓋を有する直方体状の収納箱内に、保持するための、ロール体保持機構であって、
上記ロール体の両端部に取り付けられた状態で、上記収納箱内に収納される、一対の保持具を、備えており、
上記保持具は、上記円筒体の端部に挿し込まれる横部材と、横部材の非挿込側の端部に設けられた縦部材と、からなっており、
上記横部材は、上記縦部材の中央に設けられており、
上記横部材は、上記円筒体内に摺接するよう嵌挿される形態を、有しており、
上記縦部材は、上記収納箱の縦断面空間に嵌合する形態を、有している、
ことを特徴とする、ロール体保持機構。
【請求項２】
上記横部材の外周面が、上記シート状物を上記収納箱内の上記ロール体から上記収納箱外に引き出す際の上記ロール体の回転方向とは逆方向に、上記円筒体が回転するのを阻止するための、歯を、有している、請求項１記載のロール体保持機構。
【請求項３】
上記縦部材と上記円筒体の端面との間に、両者を離間させるように付勢する弾性部材を、備えている、請求項１記載のロール体保持機構。
【請求項４】
一対の上記保持具が、下端部にて、長手方向に延びた底板部材によって、連結されている、請求項１記載のロール体保持機構。
【請求項５】
円筒体にシート状物が巻き付けられてなるロール体を、収納するとともに、請求項１から４のいずれか１つに記載のロール体保持機構によって保持する、ロール体収納箱であって、
開閉蓋を有する直方体状の収納箱からなり、
上記収納箱の内部の長手方向長さが、両端部に上記保持具が取り付けられた上記ロール体が嵌合するような長さに、設定されている、
ことを特徴とする、ロール体収納箱。
【請求項６】
上記収納箱が、開閉蓋と箱本体とからなっており、
上記箱本体が、中空の直方体において上面が開放した形態を、有しており、底面部と、長手方向両側の側面部と、前面部と、後面部と、からなっており、
上記前面部の上縁部分が、所定の高さ寸法だけ切除されている、請求項５記載のロール体収納箱。
【発明の詳細な説明】
【技術分野】
【０００１】
本発明は、円筒体にシート状物が巻き付けられてなるロール体を、開閉蓋を有する直方体状の収納箱内に、保持するための、ロール体保持機構、及び、そのロール体保持機構を備えたロール体収納箱、に関するものである。
【背景技術】
【０００２】
ロール体保持機構は、収納箱内に収納されたロール体からシート状物を引き剥がしながら収納箱外に引き出す際に、ロール体を収納箱内に保持するための、機構である。このようなロール体保持機構としては、例えば特許文献１〜４に記載の機構が知られている。
【特許文献１】実開昭６２−５８３３２号
【特許文献２】実開昭６２−９９５１６号
【特許文献３】実開昭６３−１９４１３１号
【特許文献４】実開平２−１３８６５４号
【発明の開示】
【発明が解決しようとする課題】
【０００３】
特許文献１〜４のロール体保持機構においては、収納箱内におけるロール体の保持が十分ではなかった。すなわち、シート状物を引き出す際に、ロール体が、回転しながら収納箱の内面と接触するために、収納箱内で前後や上下に動き、不安定であった。このため、次のような問題が生じていた。
（１）シート状物をロール体から円滑に引き剥がすことができず、その結果、シート状物を収納箱から円滑に引き出すことができない。
（２）ロール体の逆回転が生じ、そのために、シート状物の切り取り口が収納箱内に巻き戻され、シート状物を引き出すのが困難となる。
（３）ロール体が不用意に回転して、シート状物が余分に引き出される。
【０００４】
本発明は、上記のような問題点を解消できる、ロール体保持機構及びロール体収納箱を、提供することを目的とする。
【課題を解決するための手段】
【０００５】
本発明のロール体保持機構は、円筒体にシート状物が巻き付けられてなるロール体を、開閉蓋を有する直方体状の収納箱内に、保持するための、ロール体保持機構であって、上記ロール体の両端部に取り付けられた状態で、上記収納箱内に収納される、一対の保持具を、備えており、上記保持具は、上記円筒体の端部に挿し込まれる横部材と、横部材の非挿込側の端部に設けられた縦部材と、からなっており、上記横部材は、上記縦部材の中央に設けられており、上記横部材は、上記円筒体内に摺接するよう嵌挿される形態を、有しており、上記縦部材は、上記収納箱の縦断面空間に嵌合する形態を、有している、ことを特徴としている。
【０００６】
本発明のロール体保持機構は、更に、以下の構成を採用するのが好ましい。
（Ａ）上記横部材の外周面が、上記シート状物を上記収納箱内の上記ロール体から上記収納箱外に引き出す際の上記ロール体の回転方向とは逆方向に、上記円筒体が回転するのを阻止するための、歯を、有している。
（Ｂ）上記縦部材と上記円筒体の端面との間に、両者を離間させるように付勢する弾性部材を、備えている。
（Ｃ）一対の上記保持具が、下端部にて、長手方向に延びた底板部材によって、連結されている。
【０００７】
本発明のロール体収納箱は、円筒体にシート状物が巻き付けられてなるロール体を、収納するとともに、上記ロール体保持機構によって保持する、ロール体収納箱であって、開閉蓋を有する直方体状の収納箱からなり、上記収納箱の内部の長手方向長さが、両端部に上記保持具が取り付けられた上記ロール体が嵌合するような長さに、設定されている、ことを特徴としている。
【０００８】
本発明のロール体収納箱は、更に、以下の構成を採用するのが好ましい。
（Ｄ）上記収納箱が、開閉蓋と箱本体とからなっており、上記箱本体が、中空の直方体において上面が開放した形態を、有しており、底面部と、長手方向両側の側面部と、前面部と、後面部と、からなっており、上記前面部の上縁部分が、所定の高さ寸法だけ切除されている。
【発明の効果】
【０００９】
本発明のロール体保持機構においては、ロール体は、収納箱内の縦断面の中心において、収納箱の上下の内面及び前後の内面に接することなく、回転する。それ故、ロール体は、上下や前後に動くことなく、安定した状態で回転する。したがって、本発明によれば、シート状物を、ロール体から円滑に引き剥がして、収納箱から円滑に引き出すことができる。
【００１０】
上記構成（Ａ）によれば、シート状物を引き出す際にロール体が逆回転するのを防止できるので、シート状物の切り取り口が収納箱内に巻き戻されるのを防止でき、したがって、シート状物の引き出しが困難となるのを防止できる。
【００１１】
上記構成（Ｂ）において、弾性部材は、ロール体を保持具から離れるように押すので、保持具に対するロール体の回転にブレーキ力を加えるように機能する。それ故、上記構成（Ｂ）によれば、シート状物を引き出す際にロール体が回転しすぎるのを確実に防止でき、したがって、ロール体が不用意に回転してシート状物が余分に引き出されるのを、防止できる。
【００１２】
上記構成（Ｃ）において、一対の保持具は、底板部材によって、収納箱内の長手方向において移動不能に支持される。したがって、上記構成（Ｃ）によれば、ロール体を、収納箱内において長手方向に移動不能に保持できる。このため、ロール体は、左右に動くことなく、安定した状態で回転する。したがって、上記構成（Ｃ）によっても、シート状物を、ロール体から円滑に引き剥がして、収納箱から円滑に引き出すことができる。
【００１３】
本発明のロール体収納箱において、ロール体は、収納箱内において長手方向に移動不能であるので、左右に動くことなく、安定した状態で回転する。したがって、本発明によれば、シート状物を、ロール体から円滑に引き剥がして、収納箱から円滑に引き出すことができる。
【００１４】
上記構成（Ｄ）においては、シート状物を、収納箱外へ引き出す際に、上記前面部の切除部分を通して引き出すことができる。それ故、シート状物を、上記前面部の上縁に接触させることなく、円滑に引き出すことができる。したがって、上記構成（Ｄ）によれば、シート状物を収納箱外へ円滑に引き出すことができる。
【発明を実施するための最良の形態】
【００１５】
図１及び図２は、本発明のロール体保持機構を備えた、本発明のロール体収納箱の、斜視図である。この収納箱１内では、ロール体３がロール体保持機構によって保持されている。図１は、収納箱１が閉じた状態を示しており、図２は、収納箱１が開いた状態を示している。収納箱１は、直方体状の形態を有しており、一般的には、紙製であり、箱本体１１と、開閉可能な蓋体（開閉蓋）１２と、からなっている。なお、両図においては、シート状物３１が、ロール体３から引き剥がされて、収納箱１から少しだけ引き出されている。
【００１６】
箱本体１１は、中空の直方体において上面が開放した形態を、有しており、底面部１１１と、長手方向両側の側面部１１２、１１３と、前面部１１４と、後面部１１５と、からなっている。蓋体１２は、箱本体１１の開放面を塞ぐ上面部１２１と、長手方向両側の側面部１２２、１２３と、前面部１２４と、からなっている。
【００１７】
蓋体１２は、上面部１２１の後縁１２１１にて、箱本体１１の後面部１１５の上縁１１５１に連結している。蓋体１２は、後縁１２１１にて前側に折り曲げることにより、箱本体１１を上方から覆うようになっている。箱本体１１が蓋体１２によって上方から覆われた状態が、図１の状態である。図１の状態において、蓋体１２の両側面部１２２、１２３は、それぞれ、箱本体１１の両側面部１１２、１１３の外側に位置しており、また、前面部１２４は、前面部１１４の外側に位置している。蓋体１２の前面部１２４の下縁１２４１には、シート状物３１を切り裂くための刃（図示せず）が設けられている。
【００１８】
図３は、収納箱１からロール体３を取り出した状態の斜視図である。ロール体３には、ロール体保持機構が取り付けられている。すなわち、図３に示されるように、ロール体３の両端部には、一対の保持具４が取り付けられている。ここでは、この一対の保持具４がロール体保持機構を構成している。図４は、ロール体３から保持具４を取り外した状態の斜視図である。図５は、図１のＶ−Ｖ断面図であり、図６は、図２のVI矢視図である。
【００１９】
ロール体３は、円筒体３２と、円筒体３２に巻き付けられたシート状物３１と、からなっている。円筒体３２は、一般的には、紙製である。シート状物３１は、例えば食品ラップ用フィルムである。
【００２０】
保持具４は、円筒体３２に挿し込まれる横部材４１と、横部材４１の非挿込側の端部にて横部材４１に対して垂直に設けられた縦部材４２と、からなっている。横部材４１は、縦部材４２の側面視（Ａ矢視）中央に設けられている。横部材４１は、円筒体３２内に摺接するよう嵌挿される形態を、有している。具体的には、横部材４１は、紙製の円筒状部材であり、その外周面４１１が円筒体３２の内面３２１に摺接するようになっている。縦部材４２は、収納箱１の縦断面空間に嵌合する形態を、有している。具体的には、縦部材４２は、プラスチック製の透明な平板状部材であり、図７に示されるように、収納箱１の縦断面空間１０に嵌合する側面視（Ａ矢視）矩形の形態を、有している。なお、横部材４１は、円筒状ではなく、円柱状でもよい。また、縦部材４２は、平板状ではなく、横部材４１から張り出したフランジ状でもよい。
【００２１】
図５及び図６に示されるように、保持具４は、横部材４１がロール体３の円筒体３２の端部に挿し込まれることによって、ロール体３の端部に取り付けられている。このとき、縦部材４２は、円筒体３２の端縁にて垂直となっている。そして、図２に示されるように、ロール体３は、両端に保持具４が取り付けられた状態で、収納箱１内に収容されている。
【００２２】
図５では、収納箱１を一点鎖線で示している。図５からわかるように、収納箱１内に収納されたロール体３は、両保持具４によって、収納箱１内の上下方向中央部に、浮いた状態で、すなわち、収納箱１の上下の内面（すなわち底面部１１１及び上面部１２１の内面）に接触しない状態で、保持されている。また、図６からわかるように、収納箱１内に収納されたロール体３は、両保持具４によって、収納箱１内の前後方向中央部に、浮いた状態で、すなわち、収納箱１の前後の内面（すなわち前面部１１４及び後面部１１５の内面）に接触しない状態で、保持されている。したがって、両端部に保持具４が取り付けられた状態で収納箱１内に収納されたロール体３は、両保持具４によって、収納箱１内において浮いた状態で保持されている。
【００２３】
上記構成の収納箱１では、シート状物３１を、図１に示されるように必要な長さだけ収納箱１外に引き出して、蓋体１２の前面部１２４の下縁１２４１の刃によって切断して、使用する。
【００２４】
ところで、上記構成の収納箱１において、シート状物３１を引き出す際には、ロール体３は、収納箱１内において両保持具４の横部材４１回りに矢印Ｒ方向（図２）に回転する。すなわち、ロール体３は、収納箱１内の縦断面の中心において、収納箱１の上下の内面及び前後の内面に接することなく、回転する。それ故、ロール体３は、上下や前後に動くことなく、安定した状態で回転する。したがって、上記構成の収納箱１においては、シート状物３を、ロール体３から円滑に引き剥がして、収納箱１から円滑に引き出すことができる。
【００２５】
しかも、上記構成の収納箱１においては、図３に示されるように、収納箱１の箱本体１１の内部の長手方向長さＬ２は、両端部に保持具４が取り付けられたロール体３の長手方向長さＬ１と同じに、設定されている。そのため、両端部に保持具４が取り付けられたロール体３は、長手方向において収納箱１内に嵌合する。それ故、ロール体３は、収納箱１内において長手方向に移動不能であるので、左右に動くことなく、安定した状態で回転する。したがって、この点からも、上記構成の収納箱１においては、シート状物３を、ロール体３から円滑に引き剥がして、収納箱１から円滑に引き出すことができる。
【００２６】
また、上述したロール体保持機構は、図８に示されるように、保持具４の横部材４１の外周面４１１が歯４１２を有するのが、好ましい。歯４１２は、円周方向に複数個（図８では８個）並んで形成されており、円筒体３２がＲ方向に回転するのは許容するが円筒体３２が反Ｒ方向に回転するのは阻止するような、形態に、形成されている。具体的には、歯４１２は、Ｒ方向に突出した鋸歯状に形成されている。この構成によれば、シート状物３１を引き出す際にロール体３が逆回転する（反Ｒ方向に回転する）のを防止できるので、シート状物３１が収納箱１内に巻き戻されるのを防止でき、したがって、シート状物３１の引き出しが困難となるのを防止できる。
【００２７】
更に、上述したロール体保持機構は、平面図である図９及び図９のＸ−Ｘ断面図である図１０に示されるように、保持具４の縦部材４２とロール体３の円筒体３２の端面との間に、両者を離間させるように付勢する弾性部材４３を、備えているのが、好ましい。弾性部材４３としては、例えば、リング状の板ばねを使用できる。この構成において、弾性部材４３は、ロール体３を保持具４から離れるように押すので、保持具４に対するロール体３の回転にブレーキ力を加えるように機能する。それ故、この構成によれば、シート状物３１を引き出す際にロール体３がＲ方向に回転しすぎるのを確実に防止でき、したがって、ロール体３が不用意に回転してシート状物３１が余分に引き出されるのを、防止できる。
【００２８】
なお、本発明のロール体保持機構は、図１１に示されるように、一対の保持具４を下端部にて底板部材４４によって連結して構成してもよい。底板部材４４は、長手方向に延びており、収納箱１の箱本体１１の内部の長手方向長さＬ２（図３）と同じ長さＬ３を有している。このロール体保持機構が取り付けられたロール体３が、収納箱１内に収納されると、底板部材４４は、収納箱１の箱本体１１の底面部１１１上に設置され且つ箱本体１１内に長手方向において嵌合する。それ故、一対の保持具４は、底板部材４４によって、収納箱１内の長手方向において移動不能に支持される。したがって、この構成によれば、ロール体３を、収納箱１内において長手方向に移動不能に保持できる。このため、ロール体３は、左右に動くことなく、安定した状態で回転する。したがって、この構成によっても、シート状物３１を、ロール体３から円滑に引き剥がして、収納箱１から円滑に引き出すことができる。
【００２９】
また、本発明のロール体収納箱１においては、図１２に示されるように、箱本体１１の前面部１１４の上縁部分が所定の高さ寸法Ｈだけ切除されるのが、好ましい。この構成においては、シート状物３１を、収納箱１外へ引き出す際に、前面部１１４の切除部分１１４０を通して引き出すことができる。それ故、シート状物３１を、略横方向へ引き出すことができ、すなわち、前面部１１４の上縁１１４１（図２）に接触させることなく、円滑に引き出すことができる。したがって、この構成によれば、シート状物３１を収納箱１外へ円滑に引き出すことができる。なお、切除部分１１４０を有する前面部１１４の上縁部は、帯状の紙等の硬質材１１４２によって、補強するのが、好ましい。
【産業上の利用可能性】
【００３０】
本発明は、収納箱内のロール体からシート状物を円滑に引き出すことができるので、産業上の利用価値が大である。
【図面の簡単な説明】
【００３１】
【図１】本発明のロール体収納箱の、閉じた状態を示す、斜視図である。
【図２】本発明のロール体収納箱の、開いた状態を示す、斜視図である。
【図３】図２の収納箱からロール体を取り出した状態の斜視図である。
【図４】図３のロール体から保持具を取り外した状態の斜視図である。
【図５】図１のＶ−Ｖ断面図である。
【図６】図２のVI矢視図である。
【図７】保持具を収納箱に収納した状態を示す斜視図である。
【図８】本発明のロール体保持機構の別の第１例における、保持具の横部材の外周面を示すための、縦断面図である。
【図９】本発明のロール体保持機構の別の第２例における、ロール体に取り付けられた保持具を示すための、平面図である。
【図１０】図９のＸ−Ｘ断面図である。
【図１１】本発明のロール体保持機構の別の第３例における保持具を示す斜視図である。
【図１２】本発明のロール体収納箱の別の例の、図２に相当する図である。
【符号の説明】
【００３２】
１  収納箱  １１  箱本体  １１１  底面部  １１２、１１３  側面部  １１４  前面部  １１５  後面部  １２  蓋体  ３  ロール体  ３１  シート状物  ３２  円筒体  ４  保持具  ４１  横部材  ４１１  外周面  ４２  縦部材  ４３  弾性部材  ４４  底板部材
【図１】
2009001340.tif 000003
【図２】
2009001340.tif 000004
【図３】
2009001340.tif 000005
【図４】
2009001340.tif 000006
【図５】
2009001340.tif 000007
【図６】
2009001340.tif 000008
【図７】
2009001340.tif 000009
【図８】
2009001340.tif 000010
【図９】
2009001340.tif 000011
【図１０】
2009001340.tif 000012
【図１１】
2009001340.tif 000013
【図１２】
2009001340.tif 000014